(57)【要約】【課題】ユーザーの利便性を高める。【解決手段】ＭＦＰ１００の接続情報管理部１１４が複数の通信方式（無線ＬＡＮ、Ｐ２Ｐによる近距離通信、非接触ＩＣカードとの近距離通信）を実行させる複数の通信専用ソフトウェアを管理し、ＬＥＤ１０４がそれぞれの通信方式に関わる暗号化データを報知し、システム制御部１２０がＬＥＤ１０４に対し、選択された通信方式に関わる暗号化データを点滅パターンに基づいて報知させる。携帯端末３００は、接続情報管理部３１６が複数の通信方式を実行させるための複数の通信専用ソフトウェアを管理し、カメラ３０３及びデコード部３１５が暗号化データから接続通信情報を取得し、システム制御部３１８が接続通信情報に含まれる通信方式に対応した通信専用ソフトウェアを起動させる。これにより、ＭＦＰ１００に対する通信設定を容易に行えるとともに、複数の通信方式を利用できる。【選択図】図２
2018001666.tif 000002
【特許請求の範囲】
【請求項１】
電子機器と、
携帯端末とを備え、
前記電子機器は、
複数の通信方式のそれぞれを実行させるための複数の通信専用ソフトウェアを管理する第１の接続情報管理部と、
それぞれの前記通信方式に関わる接続通信情報を報知する報知手段と、
前記報知手段に対し、選択された前記通信方式に関わる接続通信情報を報知させる第１のシステム制御部とを備え、
前記携帯端末は、
複数の前記通信専用ソフトウェアを管理する第２の接続情報管理部と、
前記接続通信情報を取得する情報取得部と、
前記情報取得部が取得した接続通信情報に含まれる前記通信方式に対応した前記通信専用ソフトウェアを起動させる第２のシステム制御部とを備える
ことを特徴とする接続システム。
【請求項２】
前記第１の接続情報管理部は、接続情報を有し無線ＬＡＮによる第１の通信方式を実行するための第１の通信専用ソフトウェアと、接続情報を有し近距離通信による第２の通信方式を実行するための第２の通信専用ソフトウェアと、接続情報を有しない赤外線通信による第３の通信方式を実行するための第３の通信専用ソフトウェアとを管理し、
前記報知手段は、前記第１〜第３の通信方式に関わる第１〜第３の接続通信情報を報知し、
前記第１のシステム制御部は、前記報知手段に対し、前記第１の通信方式が選択されると、前記第１の通信方式と接続情報とを含む前記第１の接続通信情報を報知させ、前記第２の通信方式が選択されると、前記第２の通信方式と接続情報とを含む前記第２の接続通信情報を報知させ、前記第３の通信方式が選択されると、前記第３の通信方式を含む第３の接続通信情報を報知させ、
前記第２の接続情報管理部は、前記第１〜第３の通信専用ソフトウェアを管理し、
前記情報取得部は、いずれかの前記第１〜第３の接続通信情報を取得し、
前記第２のシステム制御部は、
前記情報取得部が取得したいずれかの前記第１〜第３の接続通信情報に含まれる前記通信方式に対応したいずれかの前記第１〜第３の通信専用ソフトウェアを起動させる
ことを特徴とする請求項１に記載の接続システム。
【請求項３】
前記報知手段は、光を発する発光デバイスあり、
前記第１の接続情報管理部は、それぞれの前記第１〜第３の接続通信情報を示す点滅パターンを管理し、
前記第１のシステム制御部は、いずれかの前記第１〜第３の接続通信情報を示す点滅パターンに基づき、前記発光デバイスを駆動させる
ことを特徴とする請求項２に記載の接続システム。
【請求項４】
接続情報を有し無線ＬＡＮによる第１の通信方式を実行するための第１の通信専用ソフトウェアと、接続情報を有し近距離通信による第２の通信方式を実行するための第２の通信専用ソフトウェアと、接続情報を有しない赤外線通信による第３の通信方式を実行するための第３の通信専用ソフトウェアとを管理する第１の接続情報管理部と、
前記第１〜第３の通信方式に関わる第１〜第３の接続通信情報を報知する報知手段と、
前記報知手段に対し、前記第１の通信方式が選択されると、前記第１の通信方式と接続情報とを含む前記第１の接続通信情報を報知させ、前記第２の通信方式が選択されると、前記第２の通信方式と接続情報とを含む前記第２の接続通信情報を報知させ、前記第３の通信方式が選択されると、前記第３の通信方式を含む第３の接続通信情報を報知させる第１のシステム制御部とを備える
ことを特徴とする電子機器。
【請求項５】
第２の接続情報管理部により、無線ＬＡＮによる第１の通信方式を実行するための第１の通信専用ソフトウェアと、近距離通信による第２の通信方式を実行するための第２の通信専用ソフトウェアと、赤外線通信による第３の通信方式を実行するための第３の通信専用ソフトウェアとを管理する工程と、
情報取得部により、電子機器から報知される前記第１〜第３の通信方式に関わる第１〜第３の接続通信情報を取得する工程と、
第２のシステム制御部により、前記情報取得部が取得したいずれかの前記第１〜第３の接続通信情報に含まれる前記通信方式に対応したいずれかの前記第１〜第３の通信専用ソフトウェアを起動させる工程とを携帯端末を制御するコンピューターに実行させる
ことを特徴とする接続プログラム。
【発明の詳細な説明】
【技術分野】
【０００１】
本発明は、異なる無線通信Ｉ／Ｆ（インターフェース：以下、通信方式という）の設定に適した接続システム、電子機器、接続プログラムに関する。
【背景技術】
【０００２】
外出先などにおいて、携帯端末により、たとえば無線通信機（たとえば無線ＬＡＮのアクセスポイント）に接続する際、接続情報であるＳＳＩＤ（Ｓｅｒｖｉｃｅ  Ｓｅｔ  Ｉｄｅｎｔｉｆｉｅｒ）と暗号キーとが必要になる。さらに、インターネットに接続するには、携帯端末の接続情報であるＩＰアドレスが必要になる。また、プリンター、多機能プリンター、複合機などのＭＦＰ（Ｍｕｌｔｉｆｕｎｃｔｉｏｎ  Ｐｅｒｉｐｈｅｒａｌ）である画像形成装置などにアクセスするためには、画像形成装置の接続情報であるＩＰアドレスが必要になる。
【０００３】
ちなみに、携帯端末のＩＰアドレスは、たとえばＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバから動的に提供される。また、画像形成装置のＩＰアドレスは、たとえばＤＨＣＰサーバから動的に割り当てられる。ここで、携帯端末により、たとえば画像形成装置や無線ＬＡＮのアクセスポイントにアクセスする場合、画像形成装置や無線ＬＡＮのアクセスポイントの接続情報を取得する必要がある。
【０００４】
このような接続情報を取得するものとして、特許文献１では、機器がサーバーから取得したＩＰアドレスなどの接続情報を、たとえば画像コードに変換して表示し、携帯端末が画像コードを読み込んでデコードすることで、機器の接続情報を取得するネットワークシステムを提案している。
【先行技術文献】
【特許文献】
【０００５】
【特許文献１】特開２０１３−１９６５１１号公報
【発明の概要】
【発明が解決しようとする課題】
【０００６】
上述した特許文献１でのネットワークシステムでは、機器が表示する画像コードを携帯端末によって読み込み、デコードして機器の接続情報を取得するため、接続情報の取得を円滑に行える。
【０００７】
ところで、特許文献１でのネットワークシステムでは、機器へのアクセスに用いる通信方式をＷｉ−Ｆｉ（登録商標）などの無線ＬＡＮに限定している。このため、ユーザーがデータの送信サイズなどから無線ＬＡＮ以外の任意の通信方式を選択したくても選択できないことになる。
【０００８】
ちなみに、通信方式には、たとえば上述の無線ＬＡＮの規格に基づいたＷｉ−Ｆｉ（登録商標）、Ｗｉ−Ｆｉ  Ｄｉｒｅｃｔ（登録商標）と、近距離通信の規格に基づいたＢｌｕｅｔｏｏｔｈ（登録商標）、ＮＦＣ（登録商標）、Ｆｅｌｉｃａ（登録商標）、ＩｒＤＡ（登録商標）とが存在する。
【０００９】
これらの通信方式は、利用環境、通信距離、通信速度などの違いにより、メリット・デメリットがあるものの、ユーザーの利便性などを考慮すると、今後、複数の通信方式を利用できる通信環境が必要とされるものと予測される。このようなことから、複数の通信方式を利用できるようにすることで、ユーザーの利便性を高めることができる通信環境の構築が望まれている。
【００１０】
本発明は、このような状況に鑑みてなされたものであり、上記問題点を解消することができる接続システム、電子機器、接続プログラムを提供することを目的とする。
【課題を解決するための手段】
【００１１】
本発明の接続システムは、電子機器と、携帯端末とを備え、前記電子機器は、複数の通信方式のそれぞれを実行させるための複数の通信専用ソフトウェアを管理する第１の接続情報管理部と、それぞれの前記通信方式に関わる接続通信情報を報知する報知手段と、前記報知手段に対し、選択された前記通信方式に関わる接続通信情報を報知させる第１のシステム制御部とを備え、前記携帯端末は、複数の前記通信専用ソフトウェアを管理する第２の接続情報管理部と、前記接続通信情報を取得する情報取得部と、前記情報取得部が取得した接続通信情報に含まれる前記通信方式に対応した前記通信専用ソフトウェアを起動させる第２のシステム制御部とを備えることを特徴とする。
また、前記第１の接続情報管理部は、接続情報を有し無線ＬＡＮによる第１の通信方式を実行するための第１の通信専用ソフトウェアと、接続情報を有し近距離通信による第２の通信方式を実行するための第２の通信専用ソフトウェアと、接続情報を有しない赤外線通信による第３の通信方式を実行するための第３の通信専用ソフトウェアとを管理し、前記報知手段は、前記第１〜第３の通信方式に関わる第１〜第３の接続通信情報を報知し、前記第１のシステム制御部は、前記報知手段に対し、前記第１の通信方式が選択されると、前記第１の通信方式と接続情報とを含む前記第１の接続通信情報を報知させ、前記第２の通信方式が選択されると、前記第２の通信方式と接続情報とを含む前記第２の接続通信情報を報知させ、前記第３の通信方式が選択されると、前記第３の通信方式を含む第３の接続通信情報を報知させ、前記第２の接続情報管理部は、前記第１〜第３の通信専用ソフトウェアを管理し、前記情報取得部は、いずれかの前記第１〜第３の接続通信情報を取得し、前記第２のシステム制御部は、前記情報取得部が取得したいずれかの前記第１〜第３の接続通信情報に含まれる前記通信方式に対応したいずれかの前記第１〜第３の通信専用ソフトウェアを起動させることを特徴とする。
また、前記報知手段は、光を発する発光デバイスあり、前記第１の接続情報管理部は、それぞれの前記第１〜第３の接続通信情報を示す点滅パターンを管理し、前記第１のシステム制御部は、いずれかの前記第１〜第３の接続通信情報を示す点滅パターンに基づき、前記発光デバイスを駆動させることを特徴とする。
本発明の電子機器は、接続情報を有し無線ＬＡＮによる第１の通信方式を実行するための第１の通信専用ソフトウェアと、接続情報を有し近距離通信による第２の通信方式を実行するための第２の通信専用ソフトウェアと、接続情報を有しない赤外線通信による第３の通信方式を実行するための第３の通信専用ソフトウェアとを管理する第１の接続情報管理部と、前記第１〜第３の通信方式に関わる第１〜第３の接続通信情報を報知する報知手段と、前記報知手段に対し、前記第１の通信方式が選択されると、前記第１の通信方式と接続情報とを含む前記第１の接続通信情報を報知させ、前記第２の通信方式が選択されると、前記第２の通信方式と接続情報とを含む前記第２の接続通信情報を報知させ、前記第３の通信方式が選択されると、前記第３の通信方式を含む第３の接続通信情報を報知させる第１のシステム制御部とを備えることを特徴とする。
本発明の接続プログラムは、第２の接続情報管理部により、無線ＬＡＮによる第１の通信方式を実行するための第１の通信専用ソフトウェアと、近距離通信による第２の通信方式を実行するための第２の通信専用ソフトウェアと、赤外線通信による第３の通信方式を実行するための第３の通信専用ソフトウェアとを管理する工程と、情報取得部により、電子機器から報知される前記第１〜第３の通信方式に関わる第１〜第３の接続通信情報を取得する工程と、第２のシステム制御部により、前記情報取得部が取得したいずれかの前記第１〜第３の接続通信情報に含まれる前記通信方式に対応したいずれかの前記第１〜第３の通信専用ソフトウェアを起動させる工程とを携帯端末を制御するコンピューターに実行させることを特徴とする。
本発明の接続システム、電子機器、接続プログラムでは、電子機器の第１の接続情報管理部が複数の通信方式のそれぞれを実行させるための複数の通信専用ソフトウェアを管理し、報知手段がそれぞれの通信方式に関わる接続通信情報を報知し、第１のシステム制御部が報知手段に対し、選択された通信方式に関わる接続通信情報を報知させる。一方、携帯端末は、第２の接続情報管理部が複数の通信方式のそれぞれを実行させるための複数の通信専用ソフトウェアを管理し、情報取得部が接続通信情報を取得し、第２のシステム制御部が情報取得部の取得した接続通信情報に含まれる通信方式に対応した通信専用ソフトウェアを起動させる。
これにより、携帯端末側では、電子機器側から取得した任意の通信方式に対応する通信専用ソフトウェアを起動させることで、電子機器に対する任意の通信方式による通信設定が完了することから、複数の通信方式を利用できる。また、携帯端末側では、電子機器側からの任意の通信方式に関わる接続通信情報を取得するだけで通信設定が完了するため、通信設定を容易に行える。
【発明の効果】
【００１２】
本発明の接続システム、電子機器、接続プログラムによれば、電子機器に対する通信設定を容易に行えるとともに、複数の通信方式を利用できるので、ユーザーの利便性を高めることができる。
【図面の簡単な説明】
【００１３】
【図１】本発明の接続システムの一実施形態を示す図である。
【図２】図１のＭＦＰ及び携帯端末の構成の一例を示す図である。
【図３】図２のＭＦＰのパネル部に表示される通信方式選択画面の内容の一例について説明するものであって、図３（ａ）は通信方式毎に選択欄を表示させた場合を示し、図３（ｂ）は優先順位に従って選択欄を表示させた場合を示す図である。
【図４】図２のＭＦＰのパネル部に表示されるプレビュー画面を示す図である。
【図５】図１の接続システムにおけるＭＦＰ側の通信方式選択処理を説明するためのフローチャートである。
【図６】図１の接続システムにおける携帯端末側の通信設定処理を説明するためのフローチャートである。
【図７】図１のＭＦＰ側で選択された機能の処理の一例について示すものであって、コピー機能が選択された場合でのコピー処理について説明するためのフローチャートである。
【発明を実施するための形態】
【００１４】
以下、本発明の接続システムの一実施形態を、図１〜図７を参照しながら説明する。
【００１５】
まず、図１に示すように、接続システムは、ＭＦＰ（Ｍｕｌｔｉｆｕｎｃｔｉｏｎ  Ｐｅｒｉｐｈｅｒａｌ）１００、携帯端末３００を備えている。なお、符号２００は、無線通信機を示している。ＭＦＰ１００、無線通信機２００、携帯端末３００は、ＬＡＮ（Ｌｏｃａｌ  Ａｒｅａ  Ｎｅｔｗｏｒｋ）などのネットワーク４００を介して接続されている。
【００１６】
ＭＦＰ１００は、たとえば印刷機能、コピー機能、ＦＡＸ機能、ネットワーク４００経由でのデータ送受信機能などを搭載した複合的な画像形成装置である。また、ＭＦＰ１００は、Ｗｉ−Ｆｉ（登録商標）、Ｗｉ−Ｆｉ  Ｄｉｒｅｃｔ（登録商標）、Ｂｌｕｅｔｏｏｔｈ（登録商標）、ＮＦＣ（登録商標）、Ｆｅｌｉｃａ（登録商標）、ＩｒＤＡ（登録商標）などの複数の無線通信Ｉ／Ｆ（インターフェース：以下、通信方式という）を有している。Ｗｉ−Ｆｉ（登録商標）、Ｗｉ−Ｆｉ  Ｄｉｒｅｃｔ（登録商標）は、無線ＬＡＮの規格に基づいた通信方式である。Ｂｌｕｅｔｏｏｔｈ（登録商標）、ＩｒＤＡ（登録商標）は、近距離通信の規格に基づいた通信方式である。ＮＦＣ（登録商標）、Ｆｅｌｉｃａ（登録商標）は、近距離通信の規格に基づいた通信方式であり、リーダー／ライターモードとエミュレーションモードを有する。エミュレーションモードでは、ＮＦＣ（登録商標）、Ｆｅｌｉｃａ（登録商標）搭載の端末を非接触ＩＣカードとして動作させることができる。
【００１７】
無線通信機（たとえば無線ＬＡＮのアクセスポイント）２００は、通信方式が、たとえば無線ＬＡＮの規格に基づいたＷｉ−Ｆｉ（登録商標）となっている。携帯端末３００は、スマートフォン、タブレット端末、ノートパソコンなどである。携帯端末３００は、通信回線の電波、又は無線通信機２００を介してネットワーク４００に接続できる。また、携帯端末３００は、無線通信機２００を介してＭＦＰ１００に接続できる。また、携帯端末３００は、上述した近距離通信により、ＭＦＰ１００に接続できる。
【００１８】
次に、図２を参照し、ＭＦＰ１００及び携帯端末３００の構成の一例について説明する。まず、ＭＦＰ１００は、プリンター部１０１、Ｉ／Ｆ１０２、送受信部１０３、ＬＥＤ（ｌｉｇｈｔ  ｅｍｉｔｔｉｎｇ  ｄｉｏｄｅ）１０４、パネル部１０５、ＨＤＤ１０６を制御する制御部１１０を備えている。なお、ＭＦＰ１００は、スキャナー部、ＦＡＸ部などを備えていてもよい。
【００１９】
プリンター部１０１は、制御部１１０から出力される印刷データに基づき、図示しない用紙上に画像を印刷するデバイスである。Ｉ／Ｆ１０２は、無線通信機２００を介し携帯端末３００との通信を受け持つ。また、Ｉ／Ｆ１０２は、ネットワーク４００を介し、携帯端末３００との通信を受け持つ。また、Ｉ／Ｆ１０２は、送受信部１０３を介して携帯端末３００との通信を受け持つ。なお、Ｉ／Ｆ１０２は、ネットワーク４００を介して通信を担うものと、送受信部１０３を介して通信を担うものとを別々に設ける必要があるが、説明の都合上、１個として示している。また、Ｉ／Ｆ１０２は、図示しないコンテンツサーバーやウェブサーバーなどとの通信を受け持ってもよい。
【００２０】
送受信部１０３は、無線ＬＡＮのＷｉ−Ｆｉ（登録商標）、Ｗｉ−Ｆｉ  Ｄｉｒｅｃｔ（登録商標）、近距離通信のＢｌｕｅｔｏｏｔｈ（登録商標）、ＮＦＣ（登録商標）、Ｆｅｌｉｃａ（登録商標）、ＩｒＤＡ（登録商標）などのそれぞれの通信方式による電波等を受信したり送信したりする。ＬＥＤ１０４は、発光デバイスの一例であり、点滅によってＭＦＰ１００が有するＷｉ−Ｆｉ（登録商標）、Ｗｉ−Ｆｉ  Ｄｉｒｅｃｔ（登録商標）、Ｂｌｕｅｔｏｏｔｈ（登録商標）、ＮＦＣ（登録商標）、Ｆｅｌｉｃａ（登録商標）、ＩｒＤＡ（登録商標）などのそれぞれの通信方式に関わる後述の接続通信情報を報知する。
【００２１】
パネル部１０５は、ＭＦＰ１００の印刷機能、コピー機能、ＦＡＸ機能、ネットワーク経由でのデータ送受信機能や、各種設定のための表示を行うタッチパネルなどのデバイスである。また、パネル部１０５は、詳細については後述するが、通信方式の選択を促す通信方式選択画面を表示する。また、パネル部１０５は、詳細については後述するが、たとえば印刷画像の選択を促すプレビュー画面などを表示する。
【００２２】
ＨＤＤ１０６は、ＭＦＰ１００の種々の機能を提供するためのアプリケーションプログラムなどを記憶している記憶デバイスである。また、ＨＤＤ１０６は、たとえば携帯端末３００や図示しないユーザー端末から登録された印刷ジョブを記憶するユーザーボックスを有している。
【００２３】
制御部１１０は、画像形成プログラムや制御プログラムなどを実行してＭＦＰ１００全体の動作を制御するプロセッサーである。制御部１１０は、プリンター制御部１１１、通信制御部１１２、ＬＥＤ制御部１１３、接続情報管理部１１４、ＲＡＭ１１５、ＲＯＭ１１６、画像処理部１１７、パネル操作制御部１１８、ＨＤＤ制御部１１９、システム制御部１２０を備えている。また、これらは、データバス１２１に接続されている。プリンター制御部１１１は、プリンター部１０１の印刷動作を制御する。通信制御部１１２は、Ｉ／Ｆ１０２を介し、ネットワーク４００を介しての通信と、送受信部１０３を介しての通信とを制御する。なお、通信制御部１１２は、ネットワーク４００を介して通信を担うものと、送受信部１０３を介して通信を担うものとを別々に設ける必要があるが、説明の都合上、１個として示している。
【００２４】
ＬＥＤ制御部１１３は、システム制御部１２０の指示に従い、ＭＦＰ１００が有するＷｉ−Ｆｉ（登録商標）、Ｗｉ−Ｆｉ  Ｄｉｒｅｃｔ（登録商標）、Ｂｌｕｅｔｏｏｔｈ（登録商標）、ＮＦＣ（登録商標）、Ｆｅｌｉｃａ（登録商標）、ＩｒＤＡ（登録商標）などのそれぞれの通信方式に関わる点滅パターンに基づいて、ＬＥＤ１０４の点滅を制御する。なお、点滅パターンは、それぞれの通信方式と通信方式毎の接続情報とを含む接続通信情報を暗号化した暗号化データを示すものである。
【００２５】
接続情報管理部１１４は、上述したそれぞれの通信方式と通信方式毎の接続情報とを含む接続通信情報を暗号化した暗号化データを示す点滅パターンと、それぞれの通信方式を実行するための通信専用ソフトウェアとを管理し、システム制御部１２０の指示に従い、通信専用ソフトウェアを起動させる。なお、接続情報は通信方式毎に異なる。すなわち、無線ＬＡＮの場合の接続情報は、ＳＳＩＤ（Ｓｅｒｖｉｃｅ  Ｓｅｔ  Ｉｄｅｎｔｉｆｉｅｒ）と暗号キーとを含む。近距離通信の場合の接続情報は、パスキーを含む。近距離通信のエミュレーションモードの場合は、接続情報が不要である。すなわち、ＭＦＰ１００側と携帯端末３００側の通信専用ソフトウェアが起動していて、ＭＦＰ１００側の送受信部１０３に携帯端末３００をかざすとデータ転送が行われる。
【００２６】
ＲＡＭ１１５は、プログラムを実行するためのワークメモリーである。ＲＯＭ１１６には、各部の動作チェックなどを行う制御プログラムが記憶されている。画像処理部１１７は、たとえばＨＤＤ１０６のユーザーボックスに登録された印刷ジョブに対する画像処理（ラスタライズ）を行う。なお、システム制御部１２０は、画像処理部１１７が画像処理した印刷データを、一旦、ＲＡＭ１１５に記憶させる。
【００２７】
パネル操作制御部１１８は、パネル部１０５の表示動作を制御する。また、パネル操作制御部１１８は、パネル部１０５を介し、印刷、コピー、ＦＡＸ、ネットワーク経由でのデータ送受信などの開始の設定などを受け付ける。また、パネル操作制御部１１８は、パネル部１０５を介し、後述の通信方式の選択や印刷画像の選択などを受け付ける。ＨＤＤ制御部１１９は、ＨＤＤ１０６に対するデータの読み込み及び書き込みなどを制御する。
【００２８】
システム制御部１２０は、各部の連携動作を制御する。また、システム制御部１２０は、接続情報管理部１１４による通信専用ソフトウェアの起動や、ＬＥＤ制御部１１３によるＬＥＤ１０４の点滅の制御などを指示する。なお、システム制御部１２０による接続情報管理部１１４に対しての指示のタイミングは、パネル部１０５からの後述の接続情報ボタン１０５Ａ又はおすすめ接続情報ボタン１０５Ｃが操作されたときとしてもよい。また、システム制御部１２０によるＬＥＤ制御部１１３に対しての指示のタイミングは、パネル部１０５からの後述の通信方式が選択されたときとしてもよい。
【００２９】
一方、携帯端末３００は、アンテナ３０１、赤外線送受信部３０２、カメラ３０３、パネル部３０４を制御する制御部３１０を備えている。アンテナ３０１は、通信方式がＷｉ−Ｆｉ（登録商標）の場合、無線通信機２００との間で電波を送受信する。また、アンテナ３０１は、通信方式がＷｉ−Ｆｉ  Ｄｉｒｅｃｔ（登録商標）、Ｂｌｕｅｔｏｏｔｈ（登録商標）、ＮＦＣ（登録商標）、Ｆｅｌｉｃａ（登録商標）の場合、ＭＦＰ１００の送受信部１０３との間で電波を送受信する。赤外線送受信部３０２は、通信方式がＩｒＤＡ（登録商標）の場合、ＭＦＰ１００の送受信部１０３との間で赤外線を送受信する。カメラ３０３は、ＭＦＰ１００のＬＥＤ１０４の点滅パターンを撮像する。パネル部３０４は、携帯端末３００の各種機能の選択などを行うタッチパネルなどのデバイスである。
【００３０】
制御部３１０は、制御プログラムなどを実行して携帯端末３００全体の動作を制御するプロセッサーである。制御部３１０は、通信制御部３１１、ＲＡＭ３１２、ＲＯＭ３１３、カメラ制御部３１４、デコード部３１５、接続情報管理部３１６、パネル操作制御部３１７、システム制御部３１８を備えている。また、これらは、データバス３１９に接続されている。
【００３１】
通信制御部３１１は、アンテナ３０１又は赤外線送受信部３０２を介し、ＭＦＰ１００とのデータなどの送受信の制御を行う。なお、通信制御部３１１は、アンテナ３０１を介して通信を担うものと、赤外線送受信部３０２を介して通信を担うものとを別々に設ける必要があるが、説明の都合上、１個として示している。ＲＡＭ３１２は、プログラムを実行するためのワークメモリーである。ＲＯＭ３１３には、各部の動作チェックなどを行う制御プログラムが記憶されている。
【００３２】
カメラ制御部３１４は、カメラ３０３の撮像動作を制御する。デコード部３１５は、カメラ３０３が撮像したＭＦＰ１００のＬＥＤ１０４の点滅パターンを復号し、通信方式及び接続情報を取得する。接続情報管理部３１６は、上述したそれぞれの通信方式を実行するための通信専用ソフトウェアを管理し、デコード部３１５が取得した通信方式に対応する通信専用ソフトウェアを起動させる。パネル操作制御部３１７は、パネル部３０４の表示動作を制御する。
【００３３】
システム制御部３１８は、各部の連携動作を制御する。また、システム制御部３１８は、接続情報管理部３１６に対し、デコード部３１５が取得した通信方式に対応する通信専用ソフトウェアを起動させる。また、システム制御部３１８は、接続情報管理部３１６が起動させた通信専用ソフトウェアとデコード部３１５が取得した接続情報とに基づき、通信制御部３１１を制御する。
【００３４】
次に、図３を参照し、ＭＦＰ１００のパネル部１０５に表示される通信方式選択画面の内容の一例について説明する。
【００３５】
まず、図３（ａ）は、パネル部１０５の接続情報ボタン１０５Ａがタッチ操作されることにより表示される通信方式選択画面を示している。なお、接続情報ボタン１０５Ａは、通信方式選択画面の直前の画面に表示されるものである。また、図３（ａ）の通信方式選択画面では、通信方式毎に選択欄１０５ａ〜１０５ｆを表示させた場合を示している。ここで選択欄１０５ａは無線ＬＡＮの規格に基づいたＷｉ−Ｆｉ（登録商標）を示し、選択欄１０５ｂは無線ＬＡＮの規格に基づいたＷｉ−Ｆｉ  Ｄｉｒｅｃｔ（登録商標）を示している。また、選択欄１０５ｃは、近距離通信の規格に基づいたＢｌｕｅｔｏｏｔｈ（登録商標）を示している。また、選択欄１０５ｄは近距離通信の規格に基づいた非接触ＩＣカードとして動作するＮＦＣ（登録商標）を示し、選択欄１０５ｅは近距離通信の規格に基づいた非接触ＩＣカードとして動作するＦｅｌｉｃａ（登録商標）を示し、選択欄１０５ｆは近距離通信の規格に基づいたＩｒＤＡ（登録商標）を示している。
【００３６】
パネル部１０５は、タッチパネルなどのデバイスであるため、たとえばＷｉ−Ｆｉ（登録商標）の選択欄１０５ａをタッチ操作して選択した後、決定ボタン１０５Ｂをタッチ操作する。この場合、システム制御部１２０は、ＬＥＤ制御部１１３に対し、Ｗｉ−Ｆｉ（登録商標）の通信方式に対応させるようにＬＥＤ１０４の制御を指示する。このとき、ＬＥＤ制御部１１３は、接続情報管理部１１４が管理しているＷｉ−Ｆｉ（登録商標）の通信方式とＷｉ−Ｆｉ（登録商標）の接続情報とを含む接続通信情報を暗号化した暗号化データを示す点滅パターンに基づき、ＬＥＤ１０４を点滅させる。なお、選択欄１０５ａ以外の選択欄１０５ｂ〜１０５ｆが選択された場合、同様に、ＬＥＤ制御部１１３はシステム制御部１２０の指示に基づき、接続情報管理部１１４が管理している他の通信方式に対応する暗号化データを示す点滅パターンに基づき、ＬＥＤ１０４を点滅させる。
【００３７】
一方、図３（ｂ）は、パネル部１０５のおすすめ接続情報ボタン１０５Ｃがタッチ操作されることにより表示される通信方式選択画面を示している。なお、おすすめ接続情報ボタン１０５Ｃは、通信方式選択画面の直前の画面に表示されるものである。図３（ｂ）の通信方式選択画面では、通信方式の優先順位に従って選択欄１０５ａ〜１０５ｆを表示させた場合を示している。通信方式の優先順位は、たとえば、近距離通信＞無線ＬＡＮの順に設定されているものとする。つまり、ＮＦＣ（登録商標）＞Ｆｅｌｉｃａ（登録商標）＞Ｂｌｕｅｔｏｏｔｈ（登録商標）＞ＩｒＤＡ（登録商標）＞Ｗｉ−Ｆｉ  Ｄｉｒｅｃｔ（登録商標）＞Ｗｉ−Ｆｉ（登録商標）の順に設定されている。
【００３８】
この例では、ＭＦＰ１００と携帯端末３００との１対１の接続を行う近距離通信の優先順位を、無線ＬＡＮの優先順位よりも高くしている。このように、近距離通信の優先順位を無線ＬＡＮより高くすることで、無線ＬＡＮ以外の選択を促すことができ、無線ＬＡＮの負荷を軽減できる。
また、近距離通信のうち、非接触ＩＣカードとして動作可能なＮＦＣ（登録商標）、Ｆｅｌｉｃａ（登録商標）の優先順位を、Ｐ２Ｐ（Ｐｅｅｒ  ｔｏ  Ｐｅｅｒ）で通信するためにペアリング等の処理が必要なＢｌｕｅｔｏｏｔｈ（登録商標）、ＩｒＤＡ（登録商標）の優先順位よりも高くしている。
また、上記の近距離通信の中で最も通信速度の低いＩｒＤＡ（登録商標）の優先度をＮＦＣ（登録商標）、Ｆｅｌｉｃａ（登録商標）、Ｂｌｕｅｔｏｏｔｈ（登録商標）の優先度よりも低くしている。
【００３９】
ここで、たとえばＮＦＣ（登録商標）の選択欄１０５ｄをタッチ操作して選択した後、決定ボタン１０５Ｂにタッチ操作する。この場合、システム制御部１２０は、ＬＥＤ制御部１１３に対し、ＮＦＣ（登録商標）の通信方式に対応させたＬＥＤ１０４の制御を指示する。このとき、ＬＥＤ制御部１１３は、接続情報管理部１１４が管理しているＮＦＣ（登録商標）の通信方式に対応する暗号化データを示す点滅パターンに基づき、ＬＥＤ１０４を点滅させる。
【００４０】
なお、選択欄１０５ｄ以外の選択欄１０５ａ、１０５ｃ〜１０５ｆが選択された場合、同様に、ＬＥＤ制御部１１３はシステム制御部１２０の指示に基づき、接続情報管理部１１４が管理している他の通信方式に対応する点滅パターンに基づき、ＬＥＤ１０４を点滅させる。このように、近距離通信の優先順位を無線ＬＡＮより高くすることで、無線ＬＡＮ以外の選択を促すことができ、無線ＬＡＮの負荷を軽減できる。
【００４１】
次に、図４を参照し、ＭＦＰ１００のたとえばコピー機能を利用した場合にパネル部１０５に表示されるプレビュー画面について説明する。なお、以下では、ＭＦＰ１００の利用が有料である場合とする。
【００４２】
まず、図４（ａ）に示すように、ＭＦＰ１００のコピー機能が選択され、図示しない複数枚の原稿が図示しないスキャナー部によって読み取られると、パネル部１０５に印刷画像１０５ｇの一覧を示すプレビュー画面が表示される。パネル部１０５は、タッチパネルなどのデバイスであるため、任意の印刷画像１０５ｇを選択する場合、任意の印刷画像１０５ｇをタッチ操作して選択した後、決定ボタン１０５Ｂをタッチ操作する。これに対し、全ての印刷画像１０５ｇを選択する場合、全選択ボタン１０５Ｄをタッチ操作して全てを選択した後、決定ボタン１０５Ｂをタッチ操作する。
【００４３】
ここで、詳細については後述するが、決済ボタン１０５Ｅをタッチ操作すると、パネル部１０５に後述の決済選択画面が表示される。なお、ＭＦＰ１００と携帯端末３００との間での通信設定がＮＦＣ（登録商標）、Ｆｅｌｉｃａ（登録商標）のいずれかの近距離通信であれば、携帯端末３を非接触ＩＣカードとして動作させ、ＭＦＰ１００側の送受信部１０３に携帯端末３００をかざすとデータ転送が行われ、決済が完了する。
【００４４】
決済が完了すると、図４（ｂ）に示すように、スタートボタン１０５Ｆが表示される。ここで、スタートボタン１０５Ｆをタッチ操作すると、プリンター部１０１により、選択された印刷画像１０５ｇの印刷が開始される。
【００４５】
なお、ここでは、ＭＦＰ１００のコピー機能を利用した場合でのプレビュー画面を説明したが、たとえば印刷機能などを利用する場合、携帯端末３００からＭＦＰ１００に印刷などのジョブデータを送信してもよい。この場合、無線ＬＡＮ、近距離通信、接続通信情報のいずれかでジョブデータを送信できる。また、この場合、本実施形態では、図３で説明したように、ＭＦＰ１００のパネル部１０５に表示される通信方式選択画面から任意の通信方式を選択すればよいため、通信方式の切り替えを容易かつ迅速に行える。
【００４６】
次に、図５を参照し、接続システムにおけるＭＦＰ１００側の通信方式選択処理について説明する。なお、以下においては、図３（ａ）に示した接続情報ボタン１０５Ａがタッチ操作された場合として説明する。
【００４７】
（ステップＳ１０１）
システム制御部１２０は、接続情報の要求があるかどうかを判断する。
この場合、システム制御部１２０は、パネル操作制御部１１８からのパネル部１０５での接続情報ボタン１０５Ａがタッチ操作されたことを示す通知が無ければ接続情報の要求が無いと判断する（ステップＳ１０１：Ｎｏ）。
これに対し、システム制御部１２０は、パネル操作制御部１１８からのパネル部１０５での接続情報ボタン１０５Ａがタッチ操作されたことを示す通知が有れば接続情報の要求が有ると判断し（ステップＳ１０１：Ｙｅｓ）、ステップＳ１０２に移行する。
【００４８】
（ステップＳ１０２）
システム制御部１２０は、通信方式選択画面を表示させる。
この場合、システム制御部１２０は、パネル操作制御部１１８に対し、通信方式選択画面の表示を指示する。このとき、パネル操作制御部１１８は、パネル部１０５に図３（ａ）に示した通信方式選択画面を表示させる。
【００４９】
（ステップＳ１０３）
システム制御部１２０は、通信方式が選択されたかどうかを判断する。
この場合、システム制御部１２０は、パネル操作制御部１１８からのパネル部１０５の通信方式選択画面でのタッチ操作されたことを示す通知が無ければ通信方式が選択されない判断する（ステップＳ１０３：Ｎｏ）。
これに対し、システム制御部１２０は、パネル操作制御部１１８からのパネル部１０５の通信方式選択画面でのタッチ操作されたことを示す通知が有れば通信方式が選択されたと判断し（ステップＳ１０３：Ｙｅｓ）、ステップＳ１０４に移行する。
【００５０】
（ステップＳ１０４）
システム制御部１２０は、無線ＬＡＮかどうかを判断する。
この場合、システム制御部１２０は、選択された通信方式が選択欄１０５ａのＷｉ−Ｆｉ（登録商標）又は選択欄１０５ｂのＷｉ−Ｆｉ  Ｄｉｒｅｃｔ（登録商標）でなければ、無線ＬＡＮが選択されないと判断し（ステップＳ１０４：Ｎｏ）、ステップＳ１０５に移行する。
これに対し、システム制御部１２０は、選択された通信方式が選択欄１０５ａのＷｉ−Ｆｉ（登録商標）又は選択欄１０５ｂのＷｉ−Ｆｉ  Ｄｉｒｅｃｔ（登録商標）であれば、無線ＬＡＮが選択されたと判断し（ステップＳ１０４：Ｙｅｓ）、ステップＳ１０５に移行する。
【００５１】
（ステップＳ１０５）
システム制御部１２０は、ＬＥＤ１０４の点滅を指示する。
この場合、システム制御部１２０は、選択された通信方式がＷｉ−Ｆｉ（登録商標）であれば、ＬＥＤ制御部１１３に対し、Ｗｉ−Ｆｉ（登録商標）の通信方式に対応させるようにＬＥＤ１０４の制御を指示する。また、システム制御部１２０は、選択された通信方式がＷｉ−Ｆｉ  Ｄｉｒｅｃｔ（登録商標）であれば、ＬＥＤ制御部１１３に対し、Ｗｉ−Ｆｉ  Ｄｉｒｅｃｔ（登録商標）の通信方式に対応させるようにＬＥＤ１０４の制御を指示する。
このとき、ＬＥＤ制御部１１３は、システム制御部１２０からの指示がＷｉ−Ｆｉ（登録商標）の通信方式である場合、接続情報管理部１１４が管理しているＷｉ−Ｆｉ（登録商標）の通信方式とＷｉ−Ｆｉ（登録商標）の接続情報（ＳＳＩＤ及び暗号キー）とを含む接続通信情報を暗号化した暗号化データを示す点滅パターンに基づき、ＬＥＤ１０４を点滅させる。
また、ＬＥＤ制御部１１３は、システム制御部１２０からの指示がＷｉ−Ｆｉ  Ｄｉｒｅｃｔ（登録商標）の通信方式である場合、接続情報管理部１１４が管理しているＷｉ−Ｆｉ  Ｄｉｒｅｃｔ（登録商標）の通信方式とＷｉ−Ｆｉ  Ｄｉｒｅｃｔ（登録商標）の接続情報（ＳＳＩＤ及び暗号キー）とを含む接続通信情報を暗号化した暗号化データを示す点滅パターンに基づき、ＬＥＤ１０４を点滅させる。
【００５２】
（ステップＳ１０６）
システム制御部１２０は、Ｐ２Ｐによる近距離通信かどうかを判断する。
この場合、システム制御部１２０は、選択された通信方式が選択欄１０５ｃのＢｌｕｅｔｏｏｔｈ（登録商標）又はＩｒＤＡ（登録商標）のいずれでもでなければ、Ｐ２Ｐによる近距離通信が選択されないと判断し（ステップＳ１０６：Ｎｏ）、ステップＳ１０７に移行する。
これに対し、システム制御部１２０は、選択された通信方式が選択欄１０５ｃのＢｌｕｅｔｏｏｔｈ（登録商標）又は選択欄１０５ｆのＩｒＤＡ（登録商標）であれば、Ｐ２Ｐによる近距離通信が選択されたと判断し（ステップＳ１０６：Ｙｅｓ）、ステップＳ１０５に移行する。
ここで、ステップＳ１０５に移行した場合、システム制御部１２０は、選択された通信方式がＢｌｕｅｔｏｏｔｈ（登録商標）であれば、ＬＥＤ制御部１１３に対し、Ｂｌｕｅｔｏｏｔｈ（登録商標）の通信方式に対応させるようにＬＥＤ１０４の制御を指示する。また、システム制御部１２０は、選択された通信方式がＩｒＤＡ（登録商標）であれば、ＬＥＤ制御部１１３に対し、ＩｒＤＡ（登録商標）の通信方式に対応させるようにＬＥＤ１０４の制御を指示する。このとき、ＬＥＤ制御部１１３は、接続情報管理部１１４が管理しているＢｌｕｅｔｏｏｔｈ（登録商標）の通信方式とＢｌｕｅｔｏｏｔｈ（登録商標）の接続情報（パスキー）とを含む接続通信情報を暗号化した暗号化データを示す点滅パターンに基づき、ＬＥＤ１０４を点滅させる。また、ＬＥＤ制御部１１３は、システム制御部１２０からの指示がＩｒＤＡ（登録商標）の通信方式である場合、接続情報管理部１１４ａが管理しているＩｒＤＡ（登録商標）の通信方式を含む接続通信情報を暗号化した暗号化データを示す点滅パターンに基づき、ＬＥＤ１０４を点滅させる。
【００５３】
（ステップＳ１０７）
システム制御部１２０は、非接触ＩＣカードとの近距離通信かどうかを判断する。
この場合、システム制御部１２０は、選択された通信方式が選択欄１０５ｄのＮＦＣ（登録商標）又は選択欄１０５ｅのＦｅｌｉｃａ（登録商標）のいずれでもなければ、非接触ＩＣカードとの近距離通信が選択されないと判断し（ステップＳ１０７：Ｎｏ）、ステップＳ１０４に移行する。
なお、ステップＳ１０７において、たとえば一定時間内に通信方式選択画面での選択が無ければ非接触ＩＣカードとの近距離通信が選択されないと判断し、処理を終了してもよい。
これに対し、システム制御部１２０は、選択された通信方式が選択欄１０５ｄのＮＦＣ（登録商標）又は選択欄１０５ｅのＦｅｌｉｃａ（登録商標）あれば、非接触ＩＣカードとの近距離近距離通信が選択されたと判断し（ステップＳ１０７：Ｙｅｓ）、ステップＳ１０５に移行する。
ここで、ステップＳ１０５に移行した場合、システム制御部１２０は、選択された通信方式がＮＦＣであれば、ＬＥＤ制御部１１３に対し、ＮＦＣ（登録商標）の通信方式に対応させるようにＬＥＤ１０４の制御を指示する。また、システム制御部１２０は、選択された通信方式がＦｅｌｉｃａ（登録商標）であれば、ＬＥＤ制御部１１３に対し、Ｆｅｌｉｃａ（登録商標）の通信方式に対応させるようにＬＥＤ１０４の制御を指示する。
このとき、ＬＥＤ制御部１１３は、システム制御部１２０からの指示がＮＦＣ（登録商標）の通信方式である場合、接続情報管理部１１４が管理しているＮＦＣ（登録商標）の通信方式を含む接続通信情報を暗号化した暗号化データを示す点滅パターンに基づき、ＬＥＤ１０４を点滅させる。また、ＬＥＤ制御部１１３は、システム制御部１２０からの指示がＦｅｌｉｃａ（登録商標）の通信方式である場合、接続情報管理部１１４が管理しているＦｅｌｉｃａ（登録商標）の通信方式を含む接続通信情報を暗号化した暗号化データを示す点滅パターンに基づき、ＬＥＤ１０４を点滅させる。
【００５４】
次に、図６を参照し、接続システムにおける携帯端末３００側の通信設定処理について説明する。
【００５５】
（ステップＳ２０１）
システム制御部３１８は、点滅パターンを撮像させる。
この場合、システム制御部３１８は、カメラ制御部３１４に対し、撮像を指示する。このとき、カメラ制御部３１４は、カメラ３０３の撮像動作を制御する。また、デコード部３１５は、カメラ３０３が撮像したＭＦＰ１００のＬＥＤ１０４の点滅パターンを復号し、接続通信情報である通信方式及び接続情報を取得する。
【００５６】
（ステップＳ２０２）
システム制御部３１８は、デコードが完了したかどうかを判断する。
この場合、システム制御部３１８は、デコード部３１５からのデコード完了の通知が無ければデコードが完了していないと判断する（ステップＳ２０２：Ｎｏ）。
これに対し、システム制御部３１８は、デコード部３１５からのデコード完了の通知が有ればデコードが完了したと判断し（ステップＳ２０２：Ｙｅｓ）、ステップＳ２０３に移行する。
【００５７】
（ステップＳ２０３）
システム制御部３１８は、無線ＬＡＮかどうかを判断する。
この場合、システム制御部３１８は、デコード部３１５が取得した通信方式がＷｉ−Ｆｉ（登録商標）又はＷｉ−Ｆｉ  Ｄｉｒｅｃｔ（登録商標）でなければ、無線ＬＡＮでないと判断し（ステップＳ２０３：Ｎｏ）、ステップＳ２０５に移行する。
これに対し、システム制御部３１８は、デコード部３１５が取得した通信方式がＷｉ−Ｆｉ（登録商標）又はＷｉ−Ｆｉ  Ｄｉｒｅｃｔ（登録商標）であれば、無線ＬＡＮであると判断し（ステップＳ２０３：Ｙｅｓ）、ステップＳ２０４に移行する。
【００５８】
（ステップＳ２０４）
システム制御部３１８は、通信方式に対応した通信専用ソフトウェアを起動させる。
この場合、システム制御部３１８は、接続情報管理部３１６に対し、デコード部３１５が取得したＷｉ−Ｆｉ（登録商標）又はＷｉ−Ｆｉ  Ｄｉｒｅｃｔ（登録商標）の通信方式に対応する通信専用ソフトウェアを起動させる。また、システム制御部３１８は、接続情報管理部３１６が起動させた通信専用ソフトウェアとデコード部３１５が取得した接続情報（ＳＳＩＤ及び暗号キー）とに基づき、通信制御部３１１を制御することで、通信設定が完了する。これにより、携帯端末３００とＭＦＰ１００との間では、Ｗｉ−Ｆｉ（登録商標）又はＷｉ−Ｆｉ  Ｄｉｒｅｃｔ（登録商標）によっての通信が可能となる。
【００５９】
（ステップＳ２０５）
システム制御部３１８は、Ｐ２Ｐによる近距離通信かどうかを判断する。
この場合、システム制御部３１８は、デコード部３１５が取得した通信方式がＢｌｕｅｔｏｏｔｈ（登録商標）又はＩｒＤＡ（登録商標）のいずれでもでなければ、Ｐ２Ｐによる近距離通信でないと判断し（ステップＳ２０５：Ｎｏ）、ステップＳ２０６に移行する。
これに対し、システム制御部３１８は、デコード部３１５が取得した通信方式がＢｌｕｅｔｏｏｔｈ（登録商標）又は選択欄１０５ｆのＩｒＤＡ（登録商標）であれば、Ｐ２Ｐによる近距離通信であると判断し（ステップＳ２０５：Ｙｅｓ）、ステップＳ２０４に移行する。
ここで、ステップＳ２０４に移行した場合、システム制御部３１８は、デコード部３１５が取得した通信方式がＢｌｕｅｔｏｏｔｈ（登録商標）であれば、接続情報管理部３１６に対し、Ｂｌｕｅｔｏｏｔｈ（登録商標）の通信方式に対応する通信専用ソフトウェアを起動させる。また、システム制御部３１８は、デコード部３１５が取得した通信方式がＩｒＤＡ（登録商標）であれば、接続情報管理部３１６ａに対し、ＩｒＤＡ（登録商標）の通信方式に対応する通信専用ソフトウェアを起動させる。
システム制御部３１８は、接続情報管理部３１６が起動させた通信専用ソフトウェアとデコード部３１５が取得した接続情報（パスキー）とに基づき、通信制御部３１１を制御することで、通信設定が完了する。これにより、携帯端末３００とＭＦＰ１００との間では、Ｂｌｕｅｔｏｏｔｈ（登録商標）又はＩｒＤＡ（登録商標）によっての通信が可能となる。
【００６０】
（ステップＳ２０６）
システム制御部３１８は、非接触ＩＣカードとしての近距離通信かどうかを判断する。
この場合、システム制御部３１８は、デコード部３１５が取得した通信方式がＮＦＣ（登録商標）又はＦｅｌｉｃａ（登録商標）のいずれでもなければ、非接触ＩＣカードとしての近距離通信でないと判断し（ステップＳ２０６：Ｎｏ）、ステップＳ２０３に移行する。
なお、ステップＳ２０６において、たとえば一定時間内にデコード部３１５のデコードが完了していないか、又は通信方式及び接続情報を取得できなければ非接触ＩＣカードとしての近距離通信でないと判断し、処理を終了してもよい。
これに対し、システム制御部３１８は、デコード部３１５が取得した通信方式がＮＦＣ（登録商標）又はＦｅｌｉｃａ（登録商標）であれば非接触ＩＣカードとしての近距離通信であると判断し（ステップＳ２０６：Ｙｅｓ）、ステップＳ２０４に移行する。
ここで、ステップＳ２０４に移行した場合、システム制御部３１８は、デコード部３１５が取得した通信方式がＮＦＣであれば、接続情報管理部３１６に対し、ＮＦＣの通信方式に対応する通信専用ソフトウェアを起動させることで、通信設定が完了する。また、システム制御部３１８は、デコード部３１５が取得した通信方式がＦｅｌｉｃａ（登録商標）であれば、接続情報管理部３１６に対し、Ｆｅｌｉｃａ（登録商標）の通信方式に対応する通信専用ソフトウェアを起動させることで、通信設定が完了する。
ここでの通信設定は、携帯端末３００の近距離通信の設定がリーダー／ライターモードの場合にエミュレーションモードに切り替えることである。携帯端末３００の近距離通信の設定がエミュレーションモードの場合は、通信設定は変更されない。
なお、非接触ＩＣカードとしての近距離通信の場合、ＭＦＰ１００側と携帯端末３００側の通信専用ソフトウェアが起動していれば、ＭＦＰ１００側の送受信部１０３に携帯端末３００をかざすとデータ転送が行われるので、接続情報が不要である。
【００６１】
次に、図７を参照し、ＭＦＰ１００側で選択された機能の処理について説明する。なお、以下においては、ＭＦＰ１００のコピー機能が選択された場合でのコピー処理について説明する。
【００６２】
（ステップＳ３０１）
システム制御部１２０は、通信方式の選択が完了どうかを判断する。
この場合、システム制御部１２０は、パネル操作制御部１１８からの図３の通信方式選択画面での決定ボタン１０５Ｂがタッチ操作されたことを示す通知が無ければ通信方式の選択が完了していないと判断する（ステップＳ３０１：Ｎｏ）。
これに対し、システム制御部１２０は、パネル操作制御部１１８からの図３の通信方式選択画面での決定ボタン１０５Ｂがタッチ操作されたことを示す通知が有れば通信方式の選択が完了したと判断し（ステップＳ３０１：Ｙｅｓ）、ステップＳ３０２に移行する。このとき、システム制御部１２０は、接続情報管理部１１４ａに対し、選択された通信方式の通信専用ソフトウェアを起動するよう指示する。接続情報管理部１１４ａは、システム制御部１２０の指示に基づいて、通信専用ソフトウェアを起動する。なお、選択された通信方式が非接触ＩＣカードとの近距離通信である場合、システム制御部１２０は、ＭＦＰ１００がエミュレーションモードであれば、リーダー／ライターモードに切り替える。
【００６３】
（ステップＳ３０２）
システム制御部１２０は、原稿の読み取りが完了したかどうかを判断する。
この場合、システム制御部１２０は、図示しないスキャナー制御部からの原稿の読み取りの完了を示す通知が無ければ、原稿の読み取りが完了していないと判断する（ステップＳ３０２：Ｎｏ）。
これに対し、システム制御部１２０は、図示しないスキャナー制御部からの原稿の読み取りの完了を示す通知が有れば、原稿の読み取りが完了したと判断し（ステップＳ３０２：Ｙｅｓ）、ステップＳ３０３に移行する。
【００６４】
（ステップＳ３０３）
システム制御部１２０は、プレビュー画面を表示させる。
この場合、システム制御部１２０は、パネル操作制御部１１８に対し、プレビュー画面の表示を指示する。
このとき、パネル操作制御部１１８は、パネル部１０５に図４（ａ）に示したプレビュー画面を表示させる。
【００６５】
（ステップＳ３０４）
システム制御部１２０は、印刷画像１０５ｇが選択されたかどうかを判断する。
この場合、システム制御部１２０は、パネル操作制御部１１８からの決定ボタン１０５Ｂのタッチ操作が有ることを示す通知がなければ印刷画像１０５ｇが選択されないと判断する（ステップＳ３０４：Ｎｏ）。
これに対し、システム制御部１２０は、パネル操作制御部１１８からの決定ボタン１０５Ｂのタッチ操作が有ることを示す通知があれば印刷画像１０５ｇが選択されたと判断し（ステップＳ３０４：Ｙｅｓ）、ステップＳ３０５に移行する。
【００６６】
（ステップＳ３０５）
システム制御部１２０は、決済が完了したかどうかを判断する。
この場合、システム制御部１２０は、図４（ａ）に示すプレビュー画面でパネル操作制御部１１８からの決済ボタン１０５Ｅのタッチ操作があることを示す通知があれば、パネル操作制御部１１８に対し、図５（ａ）に示す決済選択画面の表示を指示する。このとき、パネル操作制御部１１８は、パネル部１０５に図５（ａ）に示したプレビュー画面を表示させる。その後、システム制御部１２０は、上述したように、図５（ｂ）又は図５（ｃ）に示す決済選択画面に対するタッチ操作に基づいて、携帯端末３００と指定されたプリペイド型電子マネー又はポストペイ型電子マネーの決済データのやりとりを行う。システム制御部１２０は、たとえば図示しない課金装置からの現金又はプリペイドカードによる決済完了の通知が無ければ決済が完了していないと判断する（ステップＳ３０５：Ｎｏ）。
これに対し、システム制御部１２０は、たとえば図示しない課金装置からの現金又はプリペイドカードによる決済完了の通知が有れば決済が完了したと判断し（ステップＳ３０５：Ｙｅｓ）、ステップＳ３０６に移行する。
【００６７】
（ステップＳ３０６）
システム制御部１２０は、パネル操作制御部１１８に対し、プレビュー画面の表示を指示する。このとき、パネル操作制御部１１８は、パネル部１０５に図４（ｂ）に示したプレビュー画面を表示させる。システム制御部１２０は、スタートボタン１０５Ｆが選択されたかどうかを判断する。
この場合、システム制御部１２０は、パネル操作制御部１１８からのスタートボタン１０５Ｆのタッチ操作が有ることを示す通知がなければスタートボタン１０５Ｆが選択されないと判断する（ステップＳ３０６：Ｎｏ）。
これに対し、システム制御部１２０は、パネル操作制御部１１８からのスタートボタン１０５Ｆのタッチ操作が有ることを示す通知があればスタートボタン１０５Ｆが選択されたと判断し（ステップＳ３０６：Ｙｅｓ）、ステップＳ３０７に移行する。
【００６８】
（ステップＳ３０７）
システム制御部１２０は、印刷画像１０５ｇの印刷を指示する。
この場合、システム制御部１２０は、プリンター制御部１１１に対し、印刷画像１０５ｇの印刷を指示する。このとき、プリンター制御部１１１は、プリンター部１０１により印刷画像１０５ｇの印刷を実行する。
【００６９】
（ステップＳ３０８）
システム制御部１２０は、印刷が完了したかどうかを判断する。
この場合、システム制御部１２０は、プリンター制御部１１１からの印刷の完了を示す通知がなければ印刷が完了していないと判断する（ステップＳ３０８：Ｎｏ）。
これに対し、システム制御部１２０は、プリンター制御部１１１からの印刷の完了を示す通知があれば印刷が完了したと判断し（ステップＳ３０８：Ｙｅｓ）、処理を終了する。
【００７０】
このように、本実施形態では、ＭＦＰ１００（電子機器）の接続情報管理部１１４（第１の接続情報管理部）が複数の通信方式（無線ＬＡＮ、Ｐ２Ｐによる近距離通信、非接触ＩＣカードとの近距離通信）のそれぞれを実行させるための複数の通信専用ソフトウェアを管理し、ＬＥＤ１０４（報知手段）がそれぞれの通信方式に関わる暗号化データを報知し、システム制御部１２０（第１のシステム制御部）がＬＥＤ１０４（報知手段）に対し、選択された通信方式に関わる暗号化データを点滅パターンに基づいて報知させる。一方、携帯端末３００は、接続情報管理部３１６（第２の接続情報管理部）が複数の通信方式のそれぞれを実行させるための複数の通信専用ソフトウェアを管理し、カメラ３０３及びデコード部３１５（情報取得部）が暗号化データから接続通信情報を取得し、システム制御部３１８（第２のシステム制御部）が接続通信情報に含まれる通信方式に対応した通信専用ソフトウェアを起動させる。
【００７１】
すなわち、携帯端末３００側では、ＭＦＰ１００（電子機器）側からの任意の通信方式に関わる暗号化データを取得し、取得した暗号化データに基づき通信方式に対応する通信専用ソフトウェアを起動させることで、ＭＦＰ１００（電子機器）に対する任意の通信方式による通信設定が完了することから、複数の通信方式を利用できる。また、携帯端末３００側では、ＭＦＰ１００（電子機器）側からの任意の通信方式に関わる暗号化データを取得するだけで通信設定が完了するため、通信設定を容易に行える。これにより、ＭＦＰ１００（電子機器）に対する通信設定を容易に行えるとともに、複数の通信方式を利用できるので、ユーザーの利便性を高めることができる。
【００７２】
なお、本実施形態では、たとえば図３（ａ）で説明したように、通信方式選択画面で選択した通信方式に対応する暗号化データを示す点滅パターンに基づき、ＬＥＤ１０４を点滅させる場合としているが、この例に限らず、接続情報ボタン１０５Ａがタッチ操作されたら、全ての通信方式に対応する暗号化データを報知してもよい。この場合、それぞれの通信方式に対応する暗号化データ示す点滅パターンに基づき、ＬＥＤ１０４を順次点滅させる。そして、携帯端末３００側で必要とする通信方式に対応した暗号化データを選択し、選択した通信方式に対応する通信専用ソフトウェアを起動させる。この場合には、携帯端末３００側で、任意の通信方式を選択できる。
【００７３】
また、ＭＦＰ１００側では、おすすめ接続情報ボタン１０５Ｃがタッチ操作されたら、たとえば図３（ｂ）で説明したように、通信方式の優先順位に従って、ＬＥＤ１０４を順次点滅させてもよい。この場合には、携帯端末３００側で、ＭＦＰ１００側がおすすめとする通信方式を選択できる。
【００７４】
また、本実施形態では、携帯端末３００の通信相手をＭＦＰ１００（電子機器）として説明したが、ＭＦＰ１００に限らず、携帯端末３００との通信が可能な他の電子機器を適用してもよい。たとえば携帯端末３００の通信相手をデジタルサイネージとすると、任意の通信方式により広告、道路交通情報、天気予報、観光ガイド、クーポンなどの様々な情報を取得できる。
【００７５】
また、携帯端末３００の通信相手を自動販売機、コイン洗車機などのような金銭の支払いが必要な電子機器とした場合、たとえば近距離通信の通信設定とすることで、ポイントの付与などを容易に行える。
【００７６】
いずれにしても、携帯端末３００では、任意の通信方式による通信設定が容易であるため、通信相手に応じた通信方式の選択を容易に行える。
【００７７】
また、本実施形態では、暗号化データの報知を点滅パターンに基づいたＬＥＤ１０４の点滅によって行う場合としたが、この例に限らず、音声信号などによって暗号化データを報知してもよい。また、ＬＥＤ１０４に限らず、赤外線を発するランプによって暗号化データを報知してもよい。
【符号の説明】
【００７８】
１００  ＭＦＰ
１０１  プリンター部
１０２  Ｉ／Ｆ
１０３  送受信部
１０４  ＬＥＤ
１０５、３０４  パネル部
１０５Ａ  接続情報ボタン
１０５Ｂ  決定ボタン
１０５Ｃ  おすすめ接続情報ボタン
１０５Ｄ  全選択ボタン
１０５Ｅ  決済ボタン
１０５Ｆ  スタートボタン
１０５ａ〜１０５ｆ  選択欄
１０５ｇ  印刷画像
１０６  ＨＤＤ
１１０、３１０  制御部
１１１  プリンター制御部
１１２、３１１  通信制御部
１１３  ＬＥＤ制御部
１１４、３１６  接続情報管理部
１１５、３１２  ＲＡＭ
１１６、３１３  ＲＯＭ
１１７  画像処理部
１１８、３１７  パネル操作制御部
１１９  ＨＤＤ制御部
１２０、３１８  システム制御部
１２１、３１９  データバス
２００  無線通信機
３００  携帯端末
３０１  アンテナ
３０２  赤外線送受信部
３０３  カメラ
３１４  カメラ制御部
３１５  デコード部
４００  ネットワーク
【図１】
2018001666.tif 000003
【図２】
2018001666.tif 000004
【図３】
2018001666.tif 000005
【図４】
2018001666.tif 000006
【図５】
2018001666.tif 000007
【図６】
2018001666.tif 000008
【図７】
2018001666.tif 000009